(57)【要約】【課題】  導光板の出射面において良好な輝度分布の光を照射する。【解決手段】  第１面、第１面に対向する第２面、第１面及び第２面を接続する第１側面、及び第１面及び第２面を接続し第１側面に対向する第２側面を有する導光板と、第１側面に対向する第１光源と、第２側面に対向する第２光源と、を備え、導光板は、第１方向に延在するとともに第１面又は第２面に複数の第１プリズムが配置された第１領域と、第１方向に延在するとともに第１面又は第２面に複数の第２プリズムが配置された第２領域と、を有し、第１領域及び第２領域は、第１方向と交差する第２方向に並び、第１光源は、第１側面から第１領域に光を照射し、第２光源は、第２側面から第２領域に光を照射し、複数の第１プリズム及び複数の第２プリズムの形成パターンは、互いに異なる、照明装置。【選択図】    図３
2018067376.tif 000002
【特許請求の範囲】
【請求項１】
第１面、前記第１面に対向する第２面、前記第１面及び前記第２面を接続する第１側面、及び前記第１面及び前記第２面を接続し前記第１側面に対向する第２側面を有する導光板と、
前記第１側面に対向する第１光源と、
前記第２側面に対向する第２光源と、
を備え、
前記導光板は、第１方向に延在するとともに前記第１面又は前記第２面に複数の第１プリズムが配置された第１領域と、前記第１方向に延在するとともに前記第１面又は前記第２面に複数の第２プリズムが配置された第２領域と、を有し、
前記第１領域及び前記第２領域は、前記第１方向と交差する第２方向に並び、
前記第１光源は、前記第１側面から前記第１領域に光を照射し、
前記第２光源は、前記第２側面から前記第２領域に光を照射し、
前記複数の第１プリズム及び前記複数の第２プリズムの形成パターンは、互いに異なる、
照明装置。
【請求項２】
前記複数の第１プリズム及び前記複数の第２プリズムは、それぞれ前記第１方向に沿って配列し、前記第２方向に沿って延在する、
請求項１に記載の照明装置。
【請求項３】
前記第１プリズムは、前記第１側面の側を向く第１斜面と、前記第２側面の側を向く第２斜面とを備え、
前記第２プリズムは、前記第２側面の側を向く第３斜面と、前記第１側面の側を向く第４斜面とを備え、
前記第１プリズム及び前記第２プリズムは、前記第２方向に隣接しており、
前記第１斜面及び前記第４斜面は連続した曲面であり、前記第２斜面及び前記第３斜面は連続した曲面である、
請求項２に記載の照明装置。
【請求項４】
前記第１光源は、前記第１方向の一方側である第１Ａ方向に光を照射し、
前記第１光源は、前記第１方向の他方側である第１Ｂ方向に光を照射し、
前記第１プリズムは、前記第１Ａ方向に形成密度が高くなっており、
前記第２プリズムは、前記第１Ｂ方向に形成密度が高くなっている、
請求項１から３のいずれか１項に記載の照明装置。
【請求項５】
前記第１光源は、前記第１方向の一方側である第１Ａ方向に光を照射し、
前記第１光源は、前記第１方向の他方側である第１Ｂ方向に光を照射し、
前記第１領域の少なくとも一部は、平面視において、前記第１Ａ方向に向けて前記第２方向における幅が大きくなる形状であり、
前記第２領域の少なくとも一部は、平面視において、前記第１Ｂ方向に向けて前記第２方向における幅が大きくなる形状である、
請求項１から４のいずれか１項に記載の照明装置。
【請求項６】
前記第１領域の少なくとも一部は、平面視において、前記第１光源が放つ光の広がり角に対応する形状であり、
前記第２領域の少なくとも一部は、平面視において、前記第２光源が放つ光の広がり角に対応する形状である、
請求項５に記載の照明装置。
【請求項７】
前記導光板は、前記第１側面の前記第１光源と対向する部分、及び、前記第２側面の前記第２光源と対向する部分に、凹状又は凸状の光拡散構造を有する、
請求項１から６のいずれか１項に記載の照明装置。
【請求項８】
前記導光板は、第１導光部材と、第２導光部材と、前記第１導光部材及び前記第２導光部材を接着する接着剤と、を含み、
前記第１導光部材は、前記複数の第１プリズムを有する前記第１領域であり、前記第２導光部材は前記複数の第２プリズムを有する前記第２領域である、
請求項１から７のいずれか１項に記載の照明装置。
【請求項９】
前記複数の第１プリズムが前記第１面及び前記第２面の一方の面に配置され、前記複数の第２プリズムがその他方の面に配置される、
請求項１から８のいずれか１項に記載の照明装置。
【請求項１０】
前記導光板は、複数の前記第１領域及び複数の前記第２領域を備え、
前記第１領域及び前記第２領域は、前記第２方向において交互に配置され、それぞれ前記第１光源又は前記第２光源と対向している、
請求項１から９のいずれか１項に記載の照明装置。
【請求項１１】
前記第１光源及び前記第２光源は、偏光した光を出射するレーザ光源である、
請求項１から１０のいずれか１項に記載の照明装置。
【請求項１２】
光を選択的に透過して画像を表示する表示パネルと、前記表示パネルに光を照射する請求項１から１１のいずれか１項に記載の照明装置と、備える表示装置。
【発明の詳細な説明】
【技術分野】
【０００１】
本発明の実施形態は、照明装置及び表示装置に関する。
【背景技術】
【０００２】
例えば、液晶表示装置などの表示装置は、画素を有する表示パネルと、表示パネルを照明するバックライトなどの照明装置とを備えている。照明装置は、光を放つ光源と、この光源からの光が照射される導光板とを備えている。
光源からの光は、側面から導光板に入射し、導光板内を伝播し、導光板の一方の主面に相当する出射面から出射する。導光板の端面に複数の光源を並設することで所望の輝度の出射光を得ることもできる。
【０００３】
光源が放つ光の指向性が高い場合、導光板の出射面において光源に近い領域では、所望の輝度を得られない可能性がある。
【先行技術文献】
【特許文献】
【０００４】
【特許文献１】特開２００４−３８１０８号公報
【特許文献２】特開２０１１−２３８４８４号公報
【発明の概要】
【発明が解決しようとする課題】
【０００５】
本開示の一態様における目的は、導光板の出射面から良好な輝度分布の光を照射する照明装置及び表示装置を提供することである。
【課題を解決するための手段】
【０００６】
一実施形態に係る照明装置は、第１面、第１面に対向する第２面、第１面及び第２面を接続する第１側面、及び第１面及び第２面を接続し第１側面に対向する第２側面を有する導光板と、第１側面に対向する第１光源と、第２側面に対向する第２光源と、を備える。導光板は、第１方向に延在するとともに第１面又は第２面に複数の第１プリズムが配置された第１領域と、第１方向に延在するとともに第１面又は第２面に複数の第２プリズムが配置された第２領域と、を有し、第１領域及び第２領域は、第１方向と交差する第２方向に並ぶ。第１光源は、第１側面から第１領域に光を照射し、第２光源は、第２側面から第２領域に光を照射する。複数の第１プリズム及び複数の第２プリズムの形成パターンは、互いに異なる。
【０００７】
また、一実施形態に係る表示装置は、光を選択的に透過して画像を表示する表示パネルと、上記照明装置とを備え、上記照明装置が上記表示パネルに光を照射する。
【図面の簡単な説明】
【０００８】
【図１】図１は、第１実施形態に係る表示装置の概略的な構成を示す斜視図である。
【図２】図２は、同実施形態に係る表示装置の概略的な構成を示す断面図である。
【図３】図３は、同実施形態に係る照明装置の概略的な正面図である。
【図４】図４は、図３におけるＦ４−Ｆ４線に沿う断面図ある。
【図５】図５は、図３におけるＦ５−Ｆ５線に沿う断面図である。
【図６】図６は、比較例に係る照明装置の出射面における輝度分布を示す図である。
【図７】図７は、第１実施形態に係る照明装置の出射面における輝度分布を示す図である。
【図８】図８は、第２実施形態に係る照明装置の概略的な正面図である。
【図９】図９は、図８におけるＦ９−Ｆ９線に沿う断面図ある。
【図１０】図１０は、図８におけるＦ１０−Ｆ１０線に沿う断面図である。
【図１１】図１１は、第３実施形態に係る照明装置の概略的な正面図である。
【図１２】図１２は、図１１におけるＦ１２−Ｆ１２線に沿う断面図ある。
【図１３】図１３は、図１１におけるＦ１３−Ｆ１３線に沿う断面図である。
【図１４】図１４は、図１１における断面図を比較する図である。
【図１５】図１５は、第４実施形態に係る照明装置の概略的な正面図である。
【図１６】図１６は、図１５における断面図を比較する図である。
【図１７】図１７は、第５実施形態に係る照明装置の概略的な正面図である。
【図１８】図１８は、図１７におけるＦ１８−Ｆ１８線に沿う断面図ある。
【図１９】図１９は、図１７におけるＦ１９−Ｆ１９に沿う断面図である。
【図２０】図２０は、第６実施形態に係る照明装置の概略的な正面図である。
【図２１】図２１は、第７実施形態に係る照明装置の概略的な正面図である。
【図２２】図２２は、図２１におけるＦ２２−Ｆ２２線に沿う断面図ある。
【図２３】図２３は、第８実施形態に係る照明装置の備える凹状の光屈折構造を示す平面図である。
【図２４】図２４は、第８実施形態に係る照明装置の備える凸状の光屈折構造を示す平面図である。
【発明を実施するための形態】
【０００９】
いくつかの実施形態につき、図面を参照しながら説明する。  
なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を省略することがある。
【００１０】
各実施形態及び比較例においては、表示装置の一例として、透過型の液晶表示装置を開示する。また、照明装置の一例として、液晶表示装置のバックライトを開示する。ただし、各実施形態は、他種の表示装置や照明装置に対する、各実施形態にて開示される個々の技術的思想の適用を妨げるものではない。他種の表示装置としては、例えば、透過型の機能に加えて外光を反射してこの反射光を表示に利用する反射型の機能を備えた液晶表示装置や、ＭＥＭＳ（Ｍｉｃｒｏ  Ｅｌｅｃｔｒｏ  Ｍｅｃｈａｎｉｃａｌ  Ｓｙｓｔｅｍ）シャッターが光学素子として機能する機械式表示パネルを有する表示装置などが想定される。他種の照明装置としては、例えば、表示装置の前面に配置されるフロントライトなどが想定される。また、照明装置は、表示装置の照明とは異なる用途で使用されるものであってもよい。
【００１１】
（第１実施形態）  
まず、第１実施形態に係る照明装置及び表示装置を図１〜図７を参照して説明する。
図１は、各実施形態及び比較例に係る表示装置１の概略的な構成を示す斜視図である。表示装置１は、例えば、スマートフォン、タブレット端末、携帯電話端末、パーソナルコンピュータ、テレビ受像装置、車載装置、ゲーム機器、ウェアラブル端末等の種々の装置に用いることができる。
【００１２】
表示装置１は、表示パネル２と、バックライトである照明装置３と、表示パネル２を駆動する駆動ＩＣチップ４と、表示パネル２及び照明装置３の動作を制御する制御モジュール５と、表示パネル２及び照明装置３へ制御信号を伝達するフレキシブル回路基板ＦＰＣ１，ＦＰＣ２とを備えている。
【００１３】
表示パネル２は、第１基板ＳＵＢ１と、第１基板ＳＵＢ１に対向する第２基板ＳＵＢ２と、各基板ＳＵＢ１，ＳＵＢ２の間にある液晶層ＬＣと、を備えている。表示パネル２は、画像を表示する表示領域ＤＡを有している。表示パネル２は、例えば、表示領域ＤＡにおいてマトリクス状に配列された複数の画素ＰＸを備えている。
【００１４】
照明装置３は、第１基板ＳＵＢ１と対向している。駆動ＩＣチップ４は、例えば第１基板ＳＵＢ１に実装されている。但し、駆動ＩＣチップ４は、制御モジュール５などに実装されてもよい。フレキシブル回路基板ＦＰＣ１は、第１基板ＳＵＢ１と制御モジュール５とを接続している。フレキシブル回路基板ＦＰＣ２は、照明装置３と制御モジュール５とを接続している。
【００１５】
図２は、第１実施形態に係る表示装置１の概略的な断面図であり、図３は、照明装置３の概略的な構成を示す正面図である。図４は図３のＦ４−Ｆ４線での断面図を示し、図５は図３のＦ５−Ｆ５線での断面図を示す。
まず、第１実施形態に係る照明装置３に関して説明する。図２〜図５に示すように、照明装置３は、平板状の導光板１０と、５個の第１光源ＬＳ１−１〜ＬＳ１−５と、４個の第２光源ＬＳ２−１〜ＬＳ２−４と、を備えている。
【００１６】
以下の説明においては、図２及び図３に示すように第１方向Ｘ、第２方向Ｙ、及び第３方向Ｚを定義する。第１方向Ｘは、導光板１０の長さ方向と平行である。第２方向Ｙは、導光板１０の幅方向と平行である。第３方向Ｚは、導光板１０の厚み方向と平行である。各方向Ｘ，Ｙ，Ｚは、例えば互いに垂直に交わる。なお、本実施形態において、第１光源ＬＳ１からの光が照射される照射方向は、第１方向Ｘの一方向側である第１Ａ方向Ｘ１である。第２光源ＬＳ２からの光が照射される照射方向は、第１方向Ｘの他方向側である第１Ｂ方向Ｘ２である。上記照射方向は、例えば第１光源ＬＳ１及び第２光源ＬＳ２が放つ光において、放射強度が最も高い光軸（後述の光軸ＡＸ１及びＡＸ２）に沿う方向である。
【００１７】
図２において、導光板１０は、第３方向Ｚにおいて、第１面１１と、第１面１１に対向する第２面１２とを有する。導光板１０は、第１方向Ｘにおいて、第１面１１及び第２面１２を接続する第１側面１３と、第１面１１及び第２面１２を接続する第２側面１４とを有し、第１側面１３と第２側面１４とは対向している。図３において、導光板１０は、第２方向Ｙにおいて、第３側面１５と、第３側面１５に対向する第４側面１６とを有する。第１面１１及び第２面１２は、例えばＸＹ平面と平行である。各側面１３，１４は、例えばＹＺ平面と平行である。各側面１５，１６は、例えばＸＺ平面と平行である。
【００１８】
図３において、導光板１０は、第１側面１３から第２側面１４まで第１方向Ｘに帯状に延在し、第３側面１５から第４側面１６まで第２方向Ｙにおいて等間隔に配置された５箇所の第１領域Ｒ１を有する。導光板１０は、第１側面１３から第２側面１４まで第１方向Ｘに帯状に延在し、各第１領域Ｒ１の間に配置された４箇所の第２領域Ｒ２を有する。すなわち、第１領域Ｒ１及び第２領域Ｒ２は、第２方向Ｙにおいて交互に並んでいる。第１領域Ｒ１には、後述する複数の第１プリズム１７が配置されている。第２領域Ｒ２には、後述する複数の第２プリズム１８が配置されている。
【００１９】
５個の第１光源ＬＳ１−１〜ＬＳ１−５は、各第１領域Ｒ１の第１側面１３にそれぞれ対向し、第２方向Ｙにおいて配列している。４個の第２光源ＬＳ２−１〜ＬＳ２−４は、各第２領域Ｒ２の第２側面１４にそれぞれ対向し、第２方向Ｙにおいて配列している。すなわち、第１領域Ｒ１及び第１光源ＬＳ１の組と、第２領域Ｒ２及び第２光源ＬＳ２の組とは、第２方向Ｙにおいて交互に並んでいる。
【００２０】
各第１光源ＬＳ１及び各第２光源ＬＳ２は、例えば、赤色レーザ光源、青色レーザ光源、及び緑色レーザ光源から出射される光を混合して白色レーザ光を出射するレーザ光源である。各色のレーザ光源としては、例えば、半導体レーザを用いることができる。各第１光源ＬＳ１及び各第２光源ＬＳ２は、好ましくは偏光した光を出射する。本実施形態では、各第１光源ＬＳ１及び各第２光源ＬＳ２からの光が、進行に伴って広がる拡散光である場合を想定する。
【００２１】
次に、図３〜図５により、第１領域Ｒ１に配置された複数の第１プリズム１７及び第２領域Ｒ２に配置された複数の第２プリズム１８に関して説明する。  
図４において、複数の第１プリズム１７は、それぞれ第１領域Ｒ１の第１面１１に凸部として配置されている。複数の第１プリズム１７は、例えば、ＸＺ平面に沿う断面が互いに相似の三角形状であり、それぞれ第２方向Ｙに延びている。複数の第１プリズム１７は、例えば第１方向Ｘにおいて間隔を置いて配列している。複数の第１プリズム１７は、第１領域Ｒ１において第１Ａ方向Ｘ１に形成密度が高くなっている。複数の第１プリズム１７は、第１Ａ方向Ｘ１に向けてＸＺ平面に沿う断面積が大きくなっている。
【００２２】
第１プリズム１７は、第１側面１３の側を向いた第１斜面１７ａと、第２側面１４の側を向いた第２斜面１７ｂとを有している。第１斜面１７ａは、ＸＹ平面に対して傾斜角θ１で傾斜する面である。第２斜面１７ｂは、ＸＹ平面に対して傾斜角θ２で傾斜する面である。例えば、傾斜角θ１は傾斜角θ２よりも大きく、第２斜面１７ａは第１斜面１７ｂよりもＸＹ平面に対して緩やかに傾斜している。第１斜面１７ａと第２斜面１７ｂとが交差する線は、第１プリズム１７の頂線１７ｃである。頂線１７ｃは、例えば、第２方向Ｙに延びている。
【００２３】
図５において、複数の第２プリズム１８は、それぞれ第２領域Ｒ２の第１面１１に凸部として配置されている。複数の第２プリズム１８は、複数の第１プリズム１７と形成パターンが異なっている。複数の第２プリズム１８は、例えば、第１プリズム１７をＹＺ平面で反転させた形状を有している。複数の第１プリズム１８は、第２領域Ｒ２において第１Ｂ方向Ｘ２に形成密度が高くなっている。複数の第２プリズム１８は、第１Ｂ方向Ｘ２に向けてＸＺ平面に沿う断面積が大きくなっている。
【００２４】
第２プリズム１８は、第２側面１４の側を向いた第３斜面１８ａと、第１側面１３の側を向いた第４斜面１８ｂとを有している。第３斜面１８ａは、ＸＹ平面に対して傾斜角θ１で傾斜する面である。第４斜面１８ｂは、ＸＹ平面に対して傾斜角θ２で傾斜する面である。例えば、傾斜角θ１は傾斜角θ２よりも大きく、第４斜面１８ａは第３斜面１８ｂよりもＸＹ平面に対して緩やかに傾斜している。第３斜面１８ａと第２斜面１８ｂとが交差する線は、第２プリズム１８の頂線１８ｃである。頂線１８ｃは、例えば、第２方向Ｙに延びている。
【００２５】
図３〜図５においては、複数の第１プリズム１７と複数の第２プリズム１８とがＹＺ平面で反転させた形状である例を示した。しかしながら、複数の第１プリズム１７と複数の第２プリズム１８とは、各斜面１７ａ，１７ｂと各斜面１８ａ，１８ｂの傾斜角が異なるなど、他の態様にて形成パターンが異なっていてもよい。
【００２６】
ここで、プリズムの形成密度が高いとは、出射面の単位面積において占める光の出射に寄与する面の割合が多いことを意味する。例えば、大きな第１プリズム１７が配置されている位置では、出射面での単位面積において占める光の出射に主に寄与する面である第１プリズム１７の第２斜面１７ｂの割合が増加する。そのため、大きい第１プリズム１７が形成されている位置では、第１プリズム１７の形成密度が高いといえる。第２プリズム１８の形成密度についても同様である。なお、第２プリズム１８において出射面での光の出射に主に寄与する面とは、第２プリズム１８の第４斜面１８ｂである。また、複数の第１プリズム１７が第１領域Ｒ１において第１Ａ方向Ｘ１に向けて形成密度が高くなっているとは、第１領域の全域において第１Ａ方向Ｘ１に向けて第１プリズム１７の形成密度が高くなっている必要はなく、少なくともその一部が第１方向に向けて形成密度が高くなっていればよい。複数の第２プリズム１８についても同様である。
【００２７】
なお、第１プリズム１７の頂線１７ｃは、第１光源ＬＳ１側に曲率中心を有する形状に曲がっていてもよい。第２プリズム１８の頂線１８ｃは、第２光源ＬＳ２側に曲率中心を有する形状に曲がっていてもよい。
導光板１０は、例えば、光透過性を有する樹脂で形成されている。第１光源ＬＳ１及び第２光源ＬＳ２が偏光する光を放つ場合、導光板１０は、その内部を通過する光の偏光方向を維持する観点から、低複屈折性を有することが望ましい。このような導光板１０は、例えば正の複屈折物質と負の複屈折物質との混合体または共重合体で形成されており、例えば固有複屈折率が絶対値で３×１０−３以下の樹脂で形成されている。  
【００２８】
図３において、各第１光源ＬＳ１−１〜ＬＳ１−５の光は、第１領域Ｒ１の第１側面１３に照射され、第１側面１３を介して第１領域Ｒ１に入射する。すなわち、第１側面１３は導光板１０の１つ目の入射面に相当する。各第２光源ＬＳ２−１〜ＬＳ２−４の光は、第２領域Ｒ２の第２側面１４に照射され、第２側面１４を介して第２領域Ｒ２に入射する。すなわち、第２側面１４は導光板１０の２つ目の入射面に相当する。導光板１０の第１領域Ｒ１を伝播する光は、主に複数の第１プリズム１７を透過するか、又は複数の第１プリズム１７により屈曲されて第１面１１から出射する。同様に、導光板１０の第１領域Ｒ２を伝播する光は、主に複数の第２プリズム１８を透過するか、又は複数の第２プリズム１８により屈曲されて第１面１１から出射する。すなわち、第１面１１は、導光板１０の出射面に相当する。図２に示すように、照明装置３の第１面１１を表示パネル２に対向させることで画像表示に用いられる光を表示パネル２に照射することができる。
【００２９】
図２に示すように、第１実施形態に係る表示装置１は、表示パネル２及び照明装置３に加え、第１偏光板ＰＬ１と、第２偏光板ＰＬ２と、反射部材６と、プリズムシート（光指向部材）７と、拡散シート（光拡散層）８とを備えている。
表示パネルの第１基板ＳＵＢ１及び第２基板ＳＵＢ２は、光透過性を有するガラス基板で形成されている。第１基板ＳＵＢ１及び第２基板ＳＵＢ２は、シール材ＳＥによって貼り合わされている。シール材ＳＥは、表示領域ＤＡを囲む環状に形成されている。第１基板ＳＵＢ１及び第２基板ＳＵＢ２及びシール材ＳＥによって囲まれた空間に液晶層ＬＣが封入されている。第１偏光板ＰＬ１は、第１基板ＳＵＢ１の導光板１０と対向する面に設けられている。第２偏光板ＰＬ２は、第２基板ＳＵＢ２の第１基板ＳＵＢ１と対向する面の反対面に設けられている。
【００３０】
反射部材６は、導光板１０の第２面１２に対向して配置されている。反射部材６は、例えば、導光板１０と対向する面が鏡面になっており、導光板１０の第２面１２から漏出した光を反射して導光板１０内に戻す。反射部材６は、例えば金属薄膜、又はＥＳＲ（Ｅｎｈａｎｃｅｄ  Ｓｐｅｃｕｌａｒ  Ｒｅｆｌｅｃｔｏｒ）反射シートで形成されている。
【００３１】
プリズムシート７は、導光板１０の第１面１１に対向して配置されている。プリズムシート７は、導光板１０の第１面１１から出射した光を表示パネル２に対して垂直に入射する光に指向させる。プリズムシート７は、複数の第３プリズム７１を有している。複数の第３プリズム７１は、例えば、ＸＺ平面に沿う断面が三角形状であり、第２方向Ｙに延在し、第１方向Ｘに配列している。プリズムシート７は、例えば、光透過性を有する樹脂で形成されている。第１光源ＬＳ１及び第２光源ＬＳ２が偏光する光を放つ場合、導光板１０はその内部を通過する光の偏光方向を維持する観点から、低複屈折性を有することが望ましい。各光源ＬＳ１，ＬＳ２からの光の偏光を維持する観点から、プリズムシート７の下面（導光板１０と対向する面）に第３プリズム７１が形成されていることが好ましい。
【００３２】
拡散シート８は、例えば、プリズムシート７及び第１偏光板ＰＬ１の間に配置されている。拡散シート８は、プリズムシート７を透過した光を拡散し、ＸＹ平面における輝度の均一性を向上し、表示パネル２を透過する光の視野角を向上させる。拡散シート８は、例えば、散乱粒子を含む樹脂層である。
【００３３】
以下、図２を用いて、ＸＺ平面において、第１光源ＬＳ１から出射され導光板１０の第１領域Ｒ１内を伝搬し、表示パネル２に入射する光の光路の一例を先端矢印の破線にて示し説明する。
第１光源ＬＳ１が放つ光は、例えば、第１方向Ｘと平行である光軸ＡＸ１において最も放射強度が強い直線偏光である。第１光源ＬＳ１が放つ光は、例えば、白色レーザ光である。第１光源ＬＳ１からの光は、第１側面１３を透過して第１領域Ｒ１に照射される。第１領域Ｒ１に照射された光は、第２面１２及び第１面１１の第１プリズム１７の配置された部分を除く領域において全反射条件を満たす場合、全反射され第１Ａ方向Ｘ１に伝搬する。第１領域Ｒ１を伝搬する光が第１プリズム１７に到達すると、この光の少なくとも一部は、第１プリズム１７の第２斜面１７ｂにおいて全反射条件を満たさず、第１面１１から出射する。第１領域Ｒ１を伝搬する光は、第２面１２からも出射し得るが、このような光は反射部材６で鏡面反射され、第１領域Ｒ１内に戻される。
【００３４】
導光板１０の第１面１１から出射する光は、偏光方向を維持したまま第１偏光板ＰＬ１に到達する。第１偏光板ＰＬ１は、この偏光方向の光を透過する透過軸を有する。したがって、第１偏光板ＰＬ１に到達した光は吸収されずに表示パネル２に照射される。このような構成においては、光源が放つ光の利用効率を向上することができる。
【００３５】
なお、各光源ＬＳ１，ＬＳ２からの光が十分に偏光された状態で表示パネル２に到達する場合には、第１偏光板ＰＬ１を省略してもよい。第１偏光板ＰＬ１を省略した場合には、例えば各基板ＳＵＢ１，ＳＵＢ２の光透過性を高めることで、表示装置１の背景が透けて見えるいわゆる透明液晶表示装置を得ることができる。
第２光源ＬＳ２からの光に関しても、第１光源ＬＳ１からの光と同様の光路を経て表示パネル２に照射される。
【００３６】
なお、第１光源ＬＳ１からの光は、第２側面１４に近い第１プリズム１７ほど到達し難い。第１実施形態に係る照明装置では、第１Ａ方向Ｘ１に第１プリズム１７の形成密度を高くすることで、第１領域Ｒ１の第１方向Ｘにおける輝度の均一性を向上させている。同様に、第１Ｂ方向Ｘ２に第２プリズムの形成密度を高くすることで、第２領域Ｒ２の第１方向Ｘにおける輝度の均一性を向上させている。
【００３７】
次に、導光板１０内を伝搬する光のＸＹ平面における光路の一例につき、図３を用いて説明する。  
図３に示すように、第１光源ＬＳ１が放つ光は、例えば、第１方向Ｘと平行である光軸ＡＸ１において最も放射強度が強く、第２方向Ｙにおいて広がり角θｙ１で広がっている。同様に、ＸＹ平面において第２光源ＬＳ２が放つ光は、例えば、第１方向Ｘと平行である光軸ＡＸ２において最も放射強度が強く、第２方向Ｙにおいて広がり角θｙ２で広がっている。広がり角θｙ１及び広がり角θｙ２は、例えば同一の角度である。図３では、放射強度が半値となる光の光路をそれぞれ点線で示している。
【００３８】
図３において、第１光源ＬＳ１からの光は、主に第１領域Ｒ１内を第１Ａ方向Ｘ１に伝搬し、第１プリズム１７によって屈曲して第１面１１から出射する。同時に、第１光源ＬＳ１が放つ光は、広がり角θｙ１を有するため、第１Ａ方向Ｘ１に伝搬するに伴い隣接している第２領域Ｒ２にも伝搬する。第２領域Ｒ２に伝搬した光は、第２プリズム１８によって屈曲し、第２領域Ｒ２の第１面１１から出射する。
【００３９】
同様に、第２光源ＬＳ２が放つ光は、主に第２領域Ｒ２内を第１Ｂ方向Ｘ２に伝搬し、第２プリズム１８によって屈曲して第１面１１から出射する。同時に、第２光源ＬＳ２からの光は、広がり角θｙ２を有するため、第１Ｂ方向Ｘ２に伝搬するに伴い隣接している第１領域Ｒ１にも伝搬する。第１領域Ｒ１に伝搬する光は、第１プリズム１７によって屈曲し、第１領域Ｒ１の第１面１１から出射する。
【００４０】
図６は、比較例に係る照明装置の導光板の出射面における輝度分布を示す図であり、図７は、第１実施形態に係る照明装置の導光板の出射面における輝度分布を示す図である。図６及び図７では、ＸＹ平面における輝度を等高線とハッチングにより示している。
【００４１】
比較例に係る照明装置は、第１実施形態と同一の第１光源ＬＳ−１〜ＬＳ−５及び、複数のプリズムが第１Ａ方向Ｘ１に形成密度が高くなるように配置された導光板を備えている。図６に示すように、第１光源ＬＳ１が放つ光の広がり角θｙ１が小さく指向性が高い場合、導光板の出射面において第１光源ＬＳ１に近い領域で、所望の輝度を得られない可能性がある。
【００４２】
第１実施形態に係る照明装置３は、図３に示すように、第１領域Ｒ１及び第１光源ＬＳ１の組と、第２領域Ｒ２及び第２光源ＬＳ２の組とは、第２方向Ｙにおいて交互に並んでいる。そのため、第１光源ＬＳ１からの光が出射しにくい第１光源ＬＳ１に近い領域から、第２光源ＬＳ２からの光が出射する。同様に、第２光源ＬＳ２からの光が出射しにくい第２光源ＬＳ２に近い領域から、第１光源ＬＳ１からの光が出射する。その結果、図７に示すように、第１実施形態に係る照明装置では、導光板の出射面の輝度の均一性を向上することができる。
【００４３】
なお、第１実施形態においては、５個の第１光源及び５箇所の第１領域と、４個の第２光源及び４箇所の第２領域とを備える例を説明したが、これに限定されない。これらは、より多数であってもよいし、より少数であってもよい。また、第１光源及び第２光源は、直線偏光を放つ例を説明したが、偏光していない光を放つのでもよい。
なお、第１実施形態においては、第１領域Ｒ１及び第２領域Ｒ２が第２方向Ｙにおいて交互に配列している例を示したが、第１領域Ｒ１及び第２領域Ｒ２は少なくとも１組が隣接していればよい。また、第１領域及び第２領域の平面形状が矩形帯状である例を示したが、この形状は単なる例示であり、適宜変更されてよい。
【００４４】
なお、第１実施形態においては、第１プリズム及び第２プリズムが共に第１面に形成された場合を示したが、第１面又は第２面に形成されていればよく、互いに別の面に形成されていてもよい。また、第１実施形態においては、第１プリズム及び第２プリズムが凸状のプリズムとして形成された例を示したが、凹状に形成されていても同様の効果が得られる。また、図に示す第１プリズム及び第２プリズムの個数や形状は単なる例示であり、適宜変更されてよい。例えば、第１プリズム及び第２プリズムは、第２方向Ｙに延びる柱状のプリズムではなく、ドット状のプリズムであってもよい。なお、第１プリズム及び第２プリズムにおける出射面での光の出射に主に寄与する面とは、そのプリズムの形状や光源との配置等に随伴して変化する。
【００４５】
また、第１実施形態において、導光板の長さ方向と、第１光源及び第２光源からの光が照射される照射方向と、第１領域及び第２領域の延在方向が平行である例を示して説明したが、これに限定されない。例えば、第１光源及び第２光源からの光の照射方向は、導光板の長さ方向に対して傾いており、第１領域及び第２領域の延在方向と平行である構成であってもよい。なお、平行とは、２直線が厳密にどこまで延長しても交わらないという関係に限定されず、１つの直線がもう一方の直線に対して僅かに傾いている、実質的な平行関係をも含む。
【００４６】
以下に、第２〜第９実施形態に係る表示装置に関して説明する。これらの表示装置は、第１実施形態に係る表示装置と同様の効果を得ることができる。
（第２実施形態）  
第２実施形態について説明する。ここでは、第１実施形態との相違点に着目し、第１実施形態と同一の構成については説明を省略する。  
図８は、第２実施形態に係る照明装置３の概略的な構成を示す正面図である。図９は図８のＦ９−Ｆ９線での断面図を示し、図１０は図８のＦ１０−Ｆ１０線での断面図を示す。第２実施形態は、複数の第１プリズム２７及び複数の第２プリズム２８の形成パターンが図３〜図５に示した照明装置３と相違している。
【００４７】
本実施形態に係る照明装置３は、導光板２０を備えている。導光板２０は、第１領域Ｒ１に設けられた複数の第１プリズム２７と、第２領域Ｒ２に設けられた複数の第２プリズム２８とを備えている。複数の第１プリズム２７は、例えば、それぞれＸＺ平面に沿う断面形状が互いに同一の三角形状であり、第２方向Ｙに延びている。複数の第１プリズム２７は、例えば第１Ａ方向Ｘ１に向けて形成間隔が狭くなるように配置されている。
【００４８】
第１プリズム２７のＸＺ平面に沿う断面形状は、例えば、第１実施形態の第１プリズム１７と相似である。第１プリズム２７は、それぞれ第１側面１３の側を向いた第１斜面２７ａ、第２側面１４の側を向いた第２斜面２７ｂ、頂線２７ｃを有している。複数の第２プリズム２８は、例えば、複数の第１プリズム２７をＹＺ平面で反転させた形状を有する。複数の第２プリズム２８は、例えば第１Ｂ方向Ｘ２に向けて形成間隔が狭くなるように配置されている。第２プリズム２８は、第２側面１４の側を向いた第３斜面２８ａ、第１側面１３の側を向いた第４斜面２８ｂ、頂線２８ｃを有している。
【００４９】
第１プリズム２７の形成間隔が狭い位置では、出射面の単位面積において占める光の出射に寄与する面（第２斜面２７ｂ）の割合が増加する。そのため、第１プリズム２７の形成間隔が狭い位置では、第１プリズム２７の形成密度が高いといえる。第２プリズム２８の形成密度についても同様である。本実施形態のように第１プリズム２７及び第２プリズム２８の形成密度を調整した場合であっても、第１領域Ｒ１及び第２領域Ｒ２の第１方向Ｘにおける輝度の均一性を向上することができる。
【００５０】
図８に示す例では、複数の第１及び第２プリズムの形成密度が高くなる構成の例として、同一形状を有する第１及び第２プリズムの形成間隔が狭くなっている構成を説明したが、これに限定されない。例えば、第１実施形態と組み合せて、第１Ａ方向Ｘ１において第１プリズムを大きくしつつ、第１プリズムの形成間隔を狭くしてもよい。同様に、第１Ｂ方向Ｘ２において第２プリズムを大きくしつつ、第２プリズムの形成間隔を狭くしてもよい。
【００５１】
（第３実施形態）  
第３実施形態について説明する。ここでは、第１実施形態との相違点に着目し、第１実施形態と同一の構成については説明を省略する。  
図１１は、第３実施形態に係る照明装置３の概略的な構成を示す正面図である。図１２は図１１のＦ１２−Ｆ１２線での断面図を示し、図１３は図１１のＦ１３−Ｆ１３線での断面図を示す。第３実施形態は、複数の第１プリズム３７及び複数の第２プリズム３８の形成パターンが図３〜図５に示した照明装置３とは相違している。
【００５２】
本実施形態に係る照明装置３は、導光板３０を備えている。導光板３０は、第１領域Ｒ１に設けられた複数の第１プリズム３７と、第２領域Ｒ２に設けられた複数の第２プリズム３８とを備えている。複数の第１プリズム３７は、それぞれ第１領域Ｒ１の第１面１１に凹部として配置されている。例えば、複数の第１プリズム３７は、それぞれＸＺ平面に沿う断面が互いに相似の底角がθ３である二等辺三角形であり、第２方向Ｙに延びている。複数の第１プリズム３７は、例えば第１方向Ｘで間隔を置いて配列している。
【００５３】
複数の第１プリズム３７は、第１Ａ方向Ｘ１に向けてＸＺ平面に沿う断面積が大きくなっている。第１プリズム３７は、第１側面１３の側を向いた第１斜面３７ａ、第２側面１４の側を向いた第２斜面３７ｂ、頂線３７ｃを有している。複数の第２プリズム３８は、例えば、複数の第１プリズム３７をＸＺ平面で反転させ第２領域Ｒ２の第１面１１に凹部として配置した形状を有している。第２プリズム３８は、第２側面１４の側を向いた第３斜面３８ａ、第１側面１３の側を向いた第４斜面３８ｂ、頂線３８ｃを有している。
各第１プリズム３７と各第２プリズム３８とは、第２方向Ｙにおいて互いに隣接している。複数の第１プリズム３７の頂線３７ｃ及び複数の第２プリズム３８の頂線３８ｃは、例えば第１方向Ｘにおいて一致し、第２方向Ｙにおいて直線状に並んでいる。
【００５４】
図１４は、図１１におけるＦ１４（１）−Ｆ１４（１）線、Ｆ１４（２）−Ｆ１４（２）線、Ｆ１４（３）−Ｆ１４（３）線における断面形状を比較して示す図である。頂線３７ｃ及び頂線３８ｃは、それぞれ第２方向Ｙにおいて交互に配置されている。頂線３７ｃ及び頂線３８ｃは、第２方向Ｙにおいて互いに連続しておらず、第２プリズム３８は、第１領域Ｒ１及び第２領域Ｒ２の境界線における壁面３７ｄ及び３８ｄを有している。当該壁面３７ｄ及び３８ｄは、第１光源ＬＳ１及び第２光源ＬＳ２から出射された光の進行方向と平行である第１方向Ｘに延在している。偏光した光が、その光の進行方向と平行の壁面である壁面３７ｄ及び３８ｄにおいて反射する場合、光の偏光方向が崩れ伝搬する光の偏光度が低下する。第１プリズム３７及び第２プリズム３８が隣接している場合、壁面３７ｄ及び３８ｄの面積を縮小することができる。第３実施形態に係る照明装置においては、第１光源ＬＳ１及び第２光源ＬＳ２からの光が導光板３０を伝搬する際の偏光度の低下を抑制でき、光の利用効率を向上することができる。
【００５５】
なお、図１１〜図１３に示すように、第１プリズム３７が凹部として形成される場合、第１光源ＬＳ１からの光の第１面１１における出射には、主に第１側面１３の側を向いている第１斜面３７ａが寄与する。同様に、第２プリズム３８が凹部として形成される場合、第１光源ＬＳ１からの光の第１面１１における出射には、主に第２側面１４の側を向いている第３斜面３８ａが寄与する。
【００５６】
（第４実施形態）  
第４実施形態について説明する。ここでは、第３実施形態との相違点に着目し、第３実施形態と同一の構成については説明を省略する。  
図１５は、第４実施形態に係る照明装置３の概略的な構成を示す正面図である。第４実施形態は、第１プリズム４７及び第２プリズム４８の形状が図１１〜図１３に示す照明装置３とは相違している。
【００５７】
本実施形態に係る照明装置３は、導光板４０を備えている。導光板４０は、第１領域Ｒ１に設けられた複数の第１プリズム４７と、第２領域Ｒ２に設けられた複数の第２プリズム４８とを備えている。複数の第１プリズム４７及び複数の第２プリズム４８は、第３実施形態の複数の第１プリズム３７及び複数の第２プリズム３８と同様に第１面１１に凹部として配置されている。Ｆ１２’−Ｆ１２’の断面図は、図１２に示す断面図と同一形状である。Ｆ１３’−Ｆ１３’の断面図は、図１３に示す断面図と同一形状である。
【００５８】
図１５に示す例では、各第１プリズム４７と各第２プリズム４８とは、第２方向Ｙにおいて互いに隣接している。複数の第１プリズムの頂線４７ｃは、例えば複数の第２プリズムの頂線４８ｃと第１方向Ｘで一致し、第２方向Ｙにおいて直線状に並んでいる。第１プリズム４７の第１斜面４７ａ及び第２プリズム４８の第４斜面４８ｂは、互いに第１領域Ｒ１及び第２領域Ｒ１の境界において連続する曲面として形成されている。第１プリズム４７の第２斜面４７ｂ及び第２プリズム４８の第３斜面４８ａは、互いに第１領域Ｒ１及び第２領域Ｒ２の境界において連続する曲面として形成されている。
【００５９】
図１６は、図１５におけるＦ１６（１）−Ｆ１６（１）線、Ｆ１６（２）−Ｆ１６（２）線、Ｆ１６（３）−Ｆ１６（３）線における断面図を比較して示す図である。頂線４７ｃ及び頂線４８ｃは、それぞれ第２方向Ｙにおいて交互に配置されている。頂線４７ｃ及び頂線４８ｃは、第１領域Ｒ１及び第２領域Ｒ２の境界において互いに連続する曲線として形成されている。すなわち、第１プリズム４７と、第２プリズム４８とは、第２方向Ｙにおいて、連続的に形成された凹部である。この構成においては、第１プリズム４７及び第２プリズム４８の第１領域Ｒ１及び第２領域Ｒ２の境界線おいて、光の進行方向と平行の第１方向Ｘに延在する壁面が存在しない。その結果、第４実施形態に係る照明装置においては、第１光源ＬＳ１及び第２光源ＬＳ２からの光が導光板４０を伝搬する際の偏光度の低下を抑制でき、光の利用効率を向上することができる。
【００６０】
なお、図１５に示すように、第１プリズム及び第２プリズムが、第２方向Ｙに連続的に形成される凹部である場合、導光板の第３側面から第４側面まで、交互に深く浅く切削することにより容易に第１プリズム及び第２プリズムを形成することができる。
同様に、第１プリズム４７及び第２プリズム４８が、第２方向Ｙに連続的に形成される凸部である場合、導光板を注型するための金型を同様に切削することにより、容易に第１プリズム及び第２プリズムに対応する金型を作製することができる。
【００６１】
（第５実施形態）  
第５実施形態について説明する。ここでは、第１実施形態との相違点に着目し、第１実施形態と同一の構成については説明を省略する。  
図１７は、第５実施形態に係る照明装置３の概略的な構成を示す正面図である。図１８は図１７のＦ１８−Ｆ１８線での断面図を示し、図１９は図１７のＦ１９−Ｆ１９線での断面図を示す。本実施形態に係る照明装置３は、導光板５０を備えている。導光板５０は、第１領域Ｒ１に設けられた複数の第１プリズム５７と、第２領域Ｒ２に設けられた複数の第２プリズム５８とを備えている。本実施形態では、複数の第１プリズム５７が第１領域Ｒ１の第１面１１に配置され、複数の第２プリズム５８が第２領域Ｒ２の第２面１２に配置されている点で、図３〜図５に示す照明装置とは相違している。
【００６２】
複数の第１プリズム５７は、例えば第１実施形態の複数の第１プリズム１７と同様に形成されている。第１プリズム５７は、それぞれ第１側面１３の側を向いた第１斜面５７ａ、第２側面１４の側を向いた第２斜面５７ｂ、頂線５７ｃを有している。複数の第２プリズム５８は、例えば第２面１２に形成されていることを除いて第１実施形態の複数の第２プリズム１８と同様に形成されている。第２プリズム５８は、第２側面１４の側を向いた第３斜面５８ａ、第１側面１３の側を向いた第４斜面５８ｂ、頂線５８ｃを有している。第１プリズム５７は、第１領域Ｒ１及び第２領域Ｒ２の境界線において壁面５７ｄを覆って形成されている凸部５７eを有している。同様に、第２プリズム５８は、第１領域Ｒ１及び第２領域Ｒ２の境界線において壁面５８ｄを覆って形成されている凸部５８ｅを有している。第１プリズム５７の当該凸部５７ｅは、それぞれの境界線において隣接する第２領域Ｒ２上に形成されている。第２プリズム５８の当該凸部５８ｅは、それぞれの境界線において隣接する第１領域Ｒ１上に形成されている。
【００６３】
この構成においては、複数の第１プリズム５７及び複数の第２プリズム５８は互いに別の面に形成されている。第１プリズム５７及び第２プリズム５８の第１領域Ｒ１及び第２領域Ｒ２の境界線おいて、光の進行方向と平行する第１方向Ｘに延在する面が存在していない。その結果、第５実施形態に係る照明装置においては、第１光源ＬＳ１及び第２光源ＬＳ２からの光が導光板５０を伝搬する際の偏光度の低下をより抑制でき、光の利用効率を向上することができる。
【００６４】
なお、図示した例では、第１領域Ｒ１の第１面１１に第１プリズム５７が形成され、第２領域Ｒ２の第２面１２に第２プリズム５８が形成されているが、逆であってもよい。すなわち、複数の第１プリズム５７が第１面１１及び第２面１２の一方の面に配置され、複数の第２プリズム５８がその他方の面に配置されていれば同様の効果が得られる。
【００６５】
（第６実施形態）
第６実施形態について説明する。ここでは、第１実施形態との相違点に着目し、第１実施形態と同一の構成については説明を省略する。  
図２０は、第６実施形態に係る照明装置３の概略的な構成を示す正面図である。導光板６０は、第１領域Ｒ１及び第２領域Ｒ２の平面形状が、図１１〜図１３に示す導光板１０と相違している。
【００６６】
本実施形態に係る照明装置３は、導光板６０を備えている。導光板６０は、第１領域Ｒ１に設けられた複数の第１プリズム６７と、第２領域Ｒ２に設けられた複数の第２プリズム６８とを備えている。
【００６７】
第１領域Ｒ１は、平面視において、第１Ａ方向Ｘ１に向けて第２方向Ｙにおける幅が大きくなる形状を有している。第２領域Ｒ２は、平面視において、第１Ｂ方向Ｘ２に向けて第２方向Ｙにおける幅が大きくなる形状を有している。図２０に示す例では、第１領域Ｒ１は、平面視において、第１光源ＬＳ１が放つ光の広がり角θｙ１と対応する角度で第１Ｂ方向Ｘ２に向けて第２方向Ｙにおける幅が大きくなっている。また、第２領域Ｒ２は、平面視において、第２光源ＬＳ２が放つ光の広がり角θｙ２と対応する角度で第１Ａ方向Ｘ１に向けて第２方向Ｙにおける幅が大きくなっている。
【００６８】
第１領域Ｒ１の第１面１１には、複数の第１プリズム６７が配置され、第２領域Ｒ２の第１面１１には、複数の第２プリズム６８が配置されている。Ｆ４’−Ｆ４’の断面図は、図４に示す断面図と同一形状である。Ｆ５’−Ｆ５’の断面図は、図５に示す断面図と同一形状である。
【００６９】
このような構成によれば、第１光源ＬＳ１からの光は主に第１領域Ｒ１で出射され、第２領域Ｒ２で出射されにくい。また、第２光源ＬＳ２からの光を主に第２領域Ｒ２で出射され、第１領域Ｒ１で出射されにくい。その結果、第６実施形態によれば、導光板６０の出射面の輝度を一層好適に均一化できる。
【００７０】
なお、図示する例では、第１光源ＬＳ１が放つ光の広がり角θｙ１と一致する角度で第１領域Ｒ１が第１Ｂ方向Ｘ２に向けて第２方向Ｙにおける幅が大きくなる例を示したが、これに限定されない。第１領域Ｒ１及び第２領域Ｒ２が第１Ａ方向Ｘ１及び第１Ｂ方向Ｘ２に向けて第２方向に広がる角度は、第１光源ＬＳ１及び第２光源ＬＳ２や導光板の出射面の輝度の均一性の向上のため適宜変更され得る。第１領域及び第２領域は、少なくとも一部が第１Ａ方向Ｘ１及び第１Ｂ方向Ｘ２に向けて幅が大きくなる形状を有していればよい。
【００７１】
（第７実施形態）  
第７実施形態について説明する。ここでは、第１実施形態との相違点に着目し、第１実施形態と同一の構成については説明を省略する。  
図２１は、第７実施形態に係る照明装置３の概略的な構成を示す正面図である。図２２は、図２１のＦ２２−Ｆ２２線における断面図を示す。本実施形態に係る照明装置３は、導光板７０を備えている。導光板７０は、第１領域Ｒ１及び第２領域Ｒ２がそれぞれ異なる導光部材７１及び７２に配置されている点で、図３〜図５に示す導光板１０と相違している。
【００７２】
導光板７０は、第２方向Ｙにおいて交互に配置された５個の第１導光部材７２及び４個の第２導光部材７３によって形成されている。第１導光部材７２及び第２導光部材７３は、境界７９において互いに光学接着剤によって接着されている。第１導光部材７２及び第２導光部材７３は、第１実施形態における第１領域Ｒ１及び第２領域Ｒ２にそれぞれ対応している。第１導光部材７２及び第２導光部材７３は、例えば上述の導光板１０と同一の材料で形成されている。光学接着剤は、例えば、第１導光部材７２及び第２導光部材７３と同一の屈折率及び光透過性を有する透明接着剤であり、第１導光部材７２及び第２導光部材７３を光学的に連続になるように接着する。
【００７３】
第１導光部材７２の第１面１１には、複数の第１プリズム７７が配置され、第２導光部材７２の第１面１１には、複数の第２プリズム７８が配置されている。複数の第１プリズム７７及び複数の第２プリズム７８は、例えば、第１実施形態の複数の第１プリズム１７及び複数の第２プリズム１８と同一の形状を有している。
【００７４】
このような構成によれば、第１領域Ｒ１及び第２領域Ｒ２の境界において、第１プリズム及び第２プリズムが第２方向Ｙにおいて連続ではない形状を有する導光板７０であっても容易に形成することができる。第１導光部材７２と第２導光部材７３は、同じ金型で製造してもよい。第７実施形態に係る照明装置３においても、第１実施形態に係る照明装置３と同様の効果を得ることができる。
【００７５】
（第８実施形態）  
第８実施形態について説明する。第１実施形態にて開示した導光板１０は、第１領域Ｒ１の第１側面１３の第１光源ＬＳ１と対向する部分、及び、第２領域Ｒ２の第２側面１４の第２光源ＬＳ２と対向する部分に凹状又は凸状の光拡散構造を有していてもよい。他の実施形態にて開示した導光板２０，３０，４０，５０，６０，７０についても同様の構成を適用できる。
【００７６】
図２３は、凹状の光拡散構造の一例を示す。図２３の例においては、導光板１０の第１側面１３に第１光源ＬＳ１に対して１つずつ孔８１が設けられている。各第１光源ＬＳ１からの光は、それぞれ対応する孔８１に入る。孔８１に入った光は、孔８１の表面で屈曲（屈折）するために、第２方向Ｙにおける広がり角θｙ１が広がる。これにより、第１光源ＬＳ１の周辺における輝度がより均一化できる。
【００７７】
図２４は、凸状の光拡散構造の一例を示す。図２４の例においては、導光板１０の第１側面１３に第１光源ＬＳ１に対して１つずつ突出した突起８２が設けられている。各第１光源ＬＳ１からの光は、それぞれ対応する突起８２に入る。突起８２に入った光は、突起８２の表面で屈曲（屈折）されるため、第２方向Ｙにおける広がり角θｙ１が広がる。これにより、第１光源ＬＳ１の周辺における輝度がより均一化できる。図２４に示した孔８１及び図２４に示した突起８２は、各第２光源ＬＳ２に対応して第２側面１４に設けてもよい。これにより、第２光源ＬＳ２からの光の広がり角も広げることができる。
【００７８】
なお、第８実施形態における孔８１の内部は、空洞でなくてもよい。すなわち、孔８１の内部を樹脂などの充填材で満たしてもよい。このような充填材は、孔により光の視野角を広げる作用を確保するために、導光板１０よりも屈折率が十分に低い材料で形成することが好ましい。また、光屈折構造は、求められる視野角や放射強度分布に応じて、適宜に形状を工夫することができる。
【００７９】
図２３に示した孔８１及び図２４に示した突起８２は、各第２光源ＬＳ２に対応して第２側面１４に設けてもよい。これにより、第２光源ＬＳ２からの光の広がり角も広げることができる。
【００８０】
以上の第１乃至第８実施形態にて開示した構成は、適宜に組み合わせることができる。  
また、各実施形態では、第１光源ＬＳ１及び第２光源ＬＳ２がレーザ光源である場合を例示した。しかしながら、第１光源ＬＳ１及び第２光源ＬＳ２は、レーザ光よりも波長域が広い光を放つ発光ダイオードなどであってもよい。このような場合でも、導光板の出射光の輝度を均一化することができる。
また、第１光源ＬＳ１及び第２光源ＬＳ２が放つ光は、蛍光体を励起する紫外光などの励起光であってもよい。この場合には、例えば表示パネル２に蛍光層を設け、この蛍光層が励起光により励起して可視光を放つ構成を採用できる。
【００８１】
本発明の実施形態として上述した表示装置及び照明装置を基にして、当業者が適宜設計変更して実施し得る全ての表示装置及び照明装置も、本発明の要旨を包含する限り、本発明の範囲に属する。
本発明の思想の範疇において、当業者であれば、各種の変形例に想到し得るものであり、それら変形例についても本発明の範囲に属するものと解される。例えば、上述の各実施形態に対して、当業者が適宜、構成要素の追加、削除、若しくは設計変更を行ったもの、又は、工程の追加、省略若しくは条件変更を行ったものも、本発明の要旨を備えている限り、本発明の範囲に含まれる。
また、各実施形態において述べた態様によりもたらされる他の作用効果について、本明細書の記載から明らかなもの、又は当業者において適宜想到し得るものについては、当然に本発明によりもたらされるものと解される。
【符号の説明】
【００８２】
１…表示装置、２…表示パネル、３…照明装置、４…駆動ＩＣチップ、５…制御モジュール、ＳＵＢ１…第１基板、ＳＵＢ２…第２基板、ＬＣ…液晶層、ＤＡ…表示領域、ＰＸ…画素、３…照明装置、ＬＳ１…第１光源、ＬＳ２…第２光源、１０，２０，３０，４０，５０，６０，７０…導光板、１１…第１面、１２…第２面、１３…第１側面、１４…第２側面、１５…第３側面、１６…第４側面、Ｒ１…第１領域、Ｒ２…第２領域、６…反射部材、７…プリズムシート（光指向部材）、８…拡散シート（光拡散層）、１７，２７，３７，４７，５７，６７，７７…第１プリズム、１８，２８，３８，４８，５８，６８，７８…第２プリズム、７１…第３プリズム、７２…第１導光部材、７３…第２導光部材、８１，８２…光拡散構造、Ｘ…第１方向（照射方向）、Ｙ…第２方向（幅方向）、Ｚ…第３方向（厚み方向）。
【図１】
2018067376.tif 000003
【図２】
2018067376.tif 000004
【図３】
2018067376.tif 000005
【図４】
2018067376.tif 000006
【図５】
2018067376.tif 000007
【図６】
2018067376.tif 000008
【図７】
2018067376.tif 000009
【図８】
2018067376.tif 000010
【図９】
2018067376.tif 000011
【図１０】
2018067376.tif 000012
【図１１】
2018067376.tif 000013
【図１２】
2018067376.tif 000014
【図１３】
2018067376.tif 000015
【図１４】
2018067376.tif 000016
【図１５】
2018067376.tif 000017
【図１６】
2018067376.tif 000018
【図１７】
2018067376.tif 000019
【図１８】
2018067376.tif 000020
【図１９】
2018067376.tif 000021
【図２０】
2018067376.tif 000022
【図２１】
2018067376.tif 000023
【図２２】
2018067376.tif 000024
【図２３】
2018067376.tif 000025
【図２４】
2018067376.tif 000026